(57)【要約】【課題】缶飲料を取り出しやすく、また、ケース下部の缶飲料を取り出すときにケースの剛性を確保可能なラップラウンドケースを提供する。【解決手段】第１長側板１、第１短側板２、第２長側板３、第２短側板４、継ぎ代５を筒状に折り曲げ、第１長側板１を継ぎ代５に接着して角筒６を形成し、角筒６の上端開口を、内フラップ７，８と外フラップ９，１０とで閉塞し、角筒６の下端開口を、内フラップ１１，１２と外フラップ１３，１４とで閉塞してなり、複数の缶飲料Ｂを、各缶飲料Ｂの端面を第１長側板１の内面に対向させた状態で収容するラップラウンドケースにおいて、第１長側板１に、第２短側板４側の縁１５から第１短側板２側の縁１６に至る破断線１７を形成し、その第１長側板１に、第１短側板側２の縁１６の上端から延びる斜め折目線１８，１９を互いに傾斜角度を異ならせて形成する。【選択図】図１
2008184174.tif 000002
【特許請求の範囲】
【請求項１】
折目線を介して順に連設した第１長側板（１）、第１短側板（２）、第２長側板（３）、第２短側板（４）、継ぎ代（５）を前記折目線に沿って筒状に折り曲げ、第１長側板（１）を継ぎ代（５）に接着して角筒（６）を形成し、その角筒（６）の上端開口を、第１短側板（２）と第２短側板（４）にそれぞれ連設した内フラップ（７，８）と第１長側板（１）と第２長側板（３）にそれぞれ連設した外フラップ（９，１０）とで閉塞し、前記角筒（６）の下端開口を、第１短側板（２）と第２短側板（４）にそれぞれ連設した内フラップ（１１，１２）と第１長側板（１）と第２長側板（３）にそれぞれ連設した外フラップ（１３，１４）とで閉塞してなり、複数の缶飲料（Ｂ）を、各缶飲料（Ｂ）の端面を第１長側板（１）の内面に対向させた状態で収容するラップラウンドケースにおいて、前記第１長側板（１）に、前記第２短側板（４）側の縁（１５）から前記第１短側板（２）側の縁（１６）に至る破断線（１７）を形成し、その第１長側板（１）に、第１短側板側（２）の縁（１６）の上端から延びる斜め折目線（１８，１９）を互いに傾斜角度を異ならせて複数形成したことを特徴とするラップラウンドケース。
【請求項２】
前記第１長側板（１）の前記第２短側板（４）側の縁（１５）が、前記破断線（１７）に対する交差位置に凹部（２０）を有する請求項１に記載のラップラウンドケース。
【請求項３】
前記第１長側板（１）が、前記斜め折目線（１９）と前記破断線（１７）の交差位置に、前記破断線（１７）から分岐する切り込み（２１）を有する請求項１または２に記載のラップラウンドケース。
【請求項４】
前記角筒（６）の上端の内フラップ（８）の先端に凹縁（２２）を形成し、その内フラップ（８）に外フラップ（９）を重ねた状態で、外フラップ（９）の先端から内フラップ（８）の前記凹縁（２２）を横切って外フラップ（９）の基端に至る破断線（２４）を前記外フラップ（９）に形成した請求項１から３のいずれかに記載のラップラウンドケース。
【発明の詳細な説明】
【技術分野】
【０００１】
この発明は、缶ビールや缶チューハイ、缶入り発泡酒などの缶飲料を収容するラップラウンドケースに関する。
【背景技術】
【０００２】
缶飲料（たとえば、缶ビール）は、一般に、段ボール製のラップラウンドケースに複数缶（たとえば２４缶）収容した状態で販売され、缶飲料をケースごと購入した消費者は、ケースに収容した状態のままで缶飲料を保管し、必要に応じてケースから缶飲料を取り出すことが多い。
【０００３】
このように缶飲料に用いられるラップラウンドケースとして、折目線を介して順に連設した第１長側板、第１短側板、第２長側板、第２短側板、継ぎ代を前記折目線に沿って筒状に折り曲げ、第１長側板を継ぎ代に接着して角筒を形成し、その角筒の上端開口を、第１短側板と第２短側板にそれぞれ連設した内フラップと第１長側板と第２長側板にそれぞれ連設した外フラップとで閉塞し、前記角筒の下端開口を、第１短側板と第２短側板にそれぞれ連設した内フラップと第１長側板と第２長側板にそれぞれ連設した外フラップとで閉塞してなり、複数の缶飲料を、各缶飲料の端面を第１長側板の内面に対向させた状態で収容するものが知られている。
【０００４】
このラップラウンドケースからの缶飲料の取り出しは、一般に、外フラップと内フラップを開いて角筒の上端を開口させ、その開口からケース内に手を挿入して行なう。しかし、ケースとケース内の缶飲料の間に隙間がないので、ケースと缶飲料の間に指を差し込みにくく、ケースから缶飲料を取り出しにくかった。
【０００５】
そこで、缶飲料の取り出しを容易にするため、前記第１長側板に、第１短側板側の縁の上端から延びる斜め折目線を、互いに傾斜角度を異ならせて複数形成したラップラウンドケースが提案されている（特許文献１）。
【０００６】
このラップラウンドケースは、外フラップと内フラップを開いて角筒の上端を開口させ、その状態で、第１長側板を継ぎ代から部分的に剥がし、その第１長側板を斜め折目線に沿って折り曲げることによって角筒の側面を開口させ、その開口から露出した缶飲料の端面を手掛かりにして缶飲料を取り出すことができる。
【０００７】
また、ケース内の缶飲料が少なくなってきたときは、ケース下部の缶飲料を取り出しやすくするため、第１長側板の継ぎ代から剥がす部分を大きくするとともに、第１長側板の折り曲げ位置を段階的に変え、これにより、角筒の側面の開口を大きくすることができる。
【特許文献１】特開２００１−３５４２３１号公報
【発明の開示】
【発明が解決しようとする課題】
【０００８】
しかし、第１長側板の継ぎ代から剥がす部分を大きくすると、第１長側板と継ぎ代の接着部分が小さくなってケースの剛性が低下する。また、第１長側板と継ぎ代の接着部分が小さくなると、その接着部分にかかる負荷が大きくなるので、第１長側板が継ぎ代から完全に剥がれてしまう可能性があり、第１長側板が完全に剥がれると、角筒の構造が崩れてケースの剛性が極度に低下するので、ケースが形状を維持できなくなるおそれがある。
【０００９】
この発明は、缶飲料を取り出しやすく、また、ケース下部の缶飲料を取り出すときにケースの剛性を確保可能なラップラウンドケースを提供することである。
【課題を解決するための手段】
【００１０】
上記の課題を解決するため、前記第１長側板に、前記第２短側板側の縁から前記第１短側板側の縁に至る破断線を形成し、その第１長側板に、第１短側板側の縁の上端から延びる斜め折目線を互いに傾斜角度を異ならせて複数形成した。
【００１１】
このようにすると、ケース内の缶飲料を取り出す際、外フラップと内フラップを開いて角筒の上端を開口させ、その状態で、第１長側板を継ぎ代から部分的に剥がし、その第１長側板を斜め折目線に沿って折り曲げることによって角筒の側面を開口させ、その開口から露出した缶飲料の端面を手掛かりにして缶飲料を取り出すことができる。また、ケース内の缶飲料が少なくなってきたときは、ケース下部の缶飲料を取り出しやすくするため、破断線に沿った第１長側板の破断部分を大きくするとともに、第１長側板の折り曲げ位置を段階的に変え、これにより、角筒の側面の開口を大きくすることができる。
【００１２】
このラップラウンドケースは、次の構成を加えると好ましい。
１）前記第１長側板の前記第２短側板側の縁が、前記破断線に対する交差位置に凹部を有する。
２）前記第１長側板が、前記斜め折目線と前記破断線の交差位置に、前記破断線から分岐する切り込みを有する。
３）前記角筒の上端の内フラップの先端に凹縁を形成し、その内フラップに外フラップを重ねた状態で、外フラップの先端から内フラップの前記凹縁を横切って外フラップの基端に至る破断線を前記外フラップに形成する。
【発明の効果】
【００１３】
この発明のラップラウンドケースは、ケース下部の缶飲料を取り出すときに、第１長側板の継ぎ代から剥がす部分を大きくしないで、角筒の側面の開口を大きくすることができ、ケースの剛性を確保することができる。
【００１４】
また、前記第１長側板の前記第２短側板側の縁が、前記破断線に対する交差位置に凹部を有するものは、第１長側板を継ぎ代から剥がすときに、前記第１長側板の縁の凹部に応力が集中するので、第１長側板が破断線に沿って破断しやすい。そのため、前記第１長側板の破断線よりも下側の部分が、予期せず剥がれる事態を防止することができる。
【００１５】
また、前記第１長側板が、前記斜め折目線と前記破断線の交差位置に、前記破断線から分岐する切り込みを有するものは、第１長側板を破断線に沿って破断するときに、破断線と斜め折目線の交差位置で、第１長側板の破断方向が切り込みの方向に導かれて、破断が止まる。そのため、第１長側板を破断線に沿って破断するときに、第１長側板が、予期せず斜め折目線と破断線の交差位置を超えて破断する事態を防止することができる。
【００１６】
また、前記角筒の上端の内フラップの先端に凹縁を形成し、その内フラップに外フラップを重ねた状態で、外フラップの先端から内フラップの前記凹縁を横切って外フラップの基端に至る破断線を前記外フラップに形成したものは、外フラップを破断線に沿って破断し、その破断線を内フラップの凹縁に係合させることにより、角筒の上端開口を閉塞した状態で内フラップと外フラップを保持することができる。そのため、ケースを再封緘するときに、粘着テープや接着剤を必要としない。
【発明を実施するための最良の形態】
【００１７】
図１〜図６に、この発明の実施形態のラップラウンドケースを示す。このラップラウンドケースは、図２に示すように、段ボールからなる方形状の第１長側板１、第１短側板２、第２長側板３、第２短側板４、継ぎ代５が折目線を介して順に連設され、その第１長側板１、第１短側板２、第２長側板３、第２短側板４、継ぎ代５が折目線に沿って筒状に折り曲げられている。第１長側板１の内面は、図１に示すように、継ぎ代５に接着され、これにより、第１長側板１、第１短側板２、第２長側板３、第２短側板４、継ぎ代５が角筒６を形成している。
【００１８】
角筒６の上端開口は、図２に示すように、第１短側板２の上縁、第２短側板４の上縁にそれぞれ連設された内フラップ７，８と、第１長側板１の上縁、第２長側板３の上縁にそれぞれ連設された外フラップ９，１０とで閉塞されている。また、角筒６の下端開口は、第１短側板２の下縁と第２短側板４の下縁にそれぞれ連設された内フラップ１１，１２と、第１長側板１の下縁と第２長側板３の下縁にそれぞれ連設された外フラップ１３，１４とで閉塞されている。
【００１９】
第１長側板１には、図１に示すように、第２短側板４側の縁１５の中央部から斜め下方に延びて第１短側板２側の縁１６の下部に至る破断線１７が形成されている。また、第１長側板１には、第１短側板２側の縁１６の上端から斜め下方に延びる斜め折目線１８，１９が、互いに傾斜角度を異ならせて形成されている。
【００２０】
斜め折目線１８は、第１長側板１の縁１５と破断線１７の交差位置に向かって延びており、前記第１長側板１の縁１５は、破断線１７が交差する位置に凹部２０が形成されている。
【００２１】
一方、斜め折目線１９は、破断線１７の中間部に向かって延びており、第１長側板１は、斜め折目線１９と破断線１７が交差する位置に破断線１７から分岐する切り込み２１が形成されている。切り込み２１は、第１長側板１の第２短側板４側の縁１５から第１短側板２側の縁１６に向かって下方に分岐する円弧状である。
【００２２】
内フラップ８の先端には、外フラップ９が重なる位置に凹縁２２が形成され、外フラップ１０が重なる位置にも凹縁２３が形成されている。外フラップ９には、外フラップ９を内フラップ８に重ねた状態で、外フラップ９の先端から内フラップ８の凹縁２２を横切って外フラップ９の基端に至る破断線２４が形成されている。また、外フラップ１０にも、外フラップ１０を内フラップ８に重ねた状態で、外フラップ１０の先端から内フラップ８の凹縁２２を横切って外フラップ１０の基端に至る破断線２５が形成されている。
【００２３】
このラップラウンドケースは、図３に示すように、複数の缶飲料Ｂを、第１長側板の内面に缶飲料Ｂの端面を対向させた状態で収容する。
【００２４】
つぎに、このラップラウンドケースからの缶飲料Ｂの取り出し方法を説明する。
【００２５】
まず、図１に示す封緘状態から、外フラップ９，１０を破断線２４，２５に沿って破断するとともに、外フラップ９，１０を内フラップ７から剥がし、その外フラップ９，１０、内フラップ７，８を開いて角筒６の上端を開口させる。さらに、第１長側板１を継ぎ代５から破断線１７の位置まで剥がし、斜め折目線１８に沿って第１長側板１を折り曲げる。これにより、図３に示すように、角筒６の側面が開口し、ケース上部の缶飲料Ｂの端面が露出するので、その端面を手掛かりにして缶飲料Ｂを取り出す事が可能となる。
【００２６】
ケース内の缶飲料Ｂが少なくなると、破断線１７に沿って第１長側板１を切り込み２１の位置まで破断し、斜め折目線１９に沿って第１長側板１を折り曲げる。これにより、図４に示すように、角筒６の側面の開口が下方に拡大し、ケース中央部の缶飲料Ｂの端面が露出し、その端面に指を掛けて缶飲料Ｂを取り出すことが可能となる。さらに、ケース内の缶飲料Ｂが少なくなると、破断線１７に沿って第１長側板１を第１短側板側２の縁１６まで破断し、これにより、図５に示すように、角筒６の側面の開口をさらに下方に拡大させ、ケース下部の缶飲料Ｂの端面を露出させる。
【００２７】
ケース内に缶飲料Ｂを残して保管するときは、図６に示すように、第１長側板１を斜め折目線１８，１９に沿って折り曲げる前の状態に戻し、角筒６の上部開口を内フラップ７，８、外フラップ９，１０で閉塞する。このとき、図７に示すように、外フラップ９の破断線２４を内フラップ８の凹縁２２に係合させるとともに、外フラップ１０の破断線２５を内フラップ８の凹縁２３に係合させると、内フラップ８と外フラップ９，１０を、角筒６の上端開口を閉塞した状態に保持することができる。
【００２８】
このラップラウンドケースは、ケース下部の缶飲料Ｂを取り出すときに、第１長側板１の継ぎ代５から剥がす部分を大きくしないで、角筒６の側面の開口を大きくすることができる。そのため、このラップラウンドケースは、ケース下部の缶飲料Ｂを取り出すときにも、第１長側板１と継ぎ代５の接着面積を確保することができ、ケースの剛性を確保することができる。
【００２９】
また、このラップラウンドケースは、第１長側板１を継ぎ代５から剥がすときに、第１長側板１の縁の凹部２０に応力が集中するので、第１長側板１が破断線１７に沿って破断しやすい。そのため、第１長側板１の破断線１７よりも上側の部分を継ぎ代５から剥がすときに、第１長側板１の破断線１７よりも下側の部分が、予期せず剥がれる事態を防止することができる。
【００３０】
また、このラップラウンドケースは、第１長側板１を破断線１７に沿って破断するときに、破断線１７と斜め折目線１９の交差位置で、第１長側板１の破断方向が切り込み２１の方向に導かれて、破断が止まる。そのため、第１長側板１を破断線１７に沿って破断するときに、第１長側板１が、予期せず斜め折目線１９と破断線１７の交差位置を超えて破断する事態を防止することができる。
【図面の簡単な説明】
【００３１】
【図１】この発明の実施形態のラップラウンドケースを示す斜視図
【図２】図１のラップラウンドケースのブランクを示す平面図
【図３】図１のラップラウンドケースを、ケース上部の缶飲料を取り出し可能とした状態を示す斜視図
【図４】図１のラップラウンドケースを、ケース中央部の缶飲料を取り出し可能とした状態を示す斜視図
【図５】図１のラップラウンドケースを、ケース下部の缶飲料を取り出し可能とした状態を示す斜視図
【図６】図５のラップラウンドケースを再封緘した状態を示す斜視図
【図７】図６のラップラウンドケースの上端近傍を示す拡大斜視図
【符号の説明】
【００３２】
１          第１長側板
２          第１短側板
３          第２長側板
４          第２短側板
５          継ぎ代
６          角筒
７，８      内フラップ
９，１０    外フラップ
１１，１２  内フラップ
１３，１４  外フラップ
１５        縁
１６        縁
１７        破断線
１８，１９  折目線
２０        凹部
２１        切り込み
２２，２３  凹縁
２４，２５  破断線
Ｂ          缶飲料
【図１】
2008184174.tif 000003
【図２】
2008184174.tif 000004
【図３】
2008184174.tif 000005
【図４】
2008184174.tif 000006
【図５】
2008184174.tif 000007
【図６】
2008184174.tif 000008
【図７】
2008184174.tif 000009